(57)【要約】【課題】誰もが食器の収納位置を把握することができる食器棚を提供する。【解決手段】  収納位置指示照明付き食器収納棚１は、食器の正規の収納位置を記憶する記憶する記憶手段と食器の使用状況によって照明の点灯を制御する制御手段を有する。食器３の収納する棚板２に余計な食器３が入っていたり、必要な食器３が入っていない場合には、記憶手段８と制御手段７との連動により、食器３の過不足状況を食器収納区画単位２ａで点灯する照明４により知らせる。【選択図】    図１
2010057672.tif 000002
【特許請求の範囲】
【請求項１】
食器を収納する棚板と、
食器収納区画内の食器の有無を感知する感知手段と、
該食器収納区画単位で点灯する照明手段と、
食器の正規の収納位置を記憶する記憶手段と、
食器の使用状況によって照明の点灯を制御する制御手段とからなり、
食器が正規の収納位置にない場合、該食器の収納区画の照明が点灯するように制御されたことを特徴とする収納位置指示照明付き食器収納棚。
【請求項２】
設定期間を超えて使用されていない食器がある場合、該食器の収納区画の照明が点灯するように制御された請求項１に記載の収納位置指示照明付き食器収納棚。
【請求項３】
確認手段が設けられ、確認手段を作動させた場合にのみ、照明が点灯する請求項１または２に記載の収納位置指示照明付き食器収納棚。
【請求項４】
前記収納位置指示照明付き食器収納棚が開閉式の扉を有し、該扉が前記確認手段と連動し、該扉を開けた場合に前記確認手段が作動する請求項３に記載の収納位置指示照明付き食器収納棚。
【発明の詳細な説明】
【技術分野】
【０００１】
本発明は、食器の収納位置を指示する照明付き食器収納棚に関する。
【背景技術】
【０００２】
従来より、収納された食器を美しく見せるために、食器棚内に照明を装備した食器棚は提案されている。
【０００３】
また流通センターなどで、商品群から作業者が必要な商品を選択する際に誤った商品を選択しないように、注文書などのデータに基づいて取り出すべき商品の収納された箇所の表示装置を点灯させ、作業者に商品選択のミスを回避させる技術が提案されている
【０００４】
【特許文献１】特開２００４−３３８８６６号公報
【発明の開示】
【発明が解決しようとする課題】
【０００５】
しかし、食器棚への食器の収納は人の記憶を頼りに行われ、家族全員で食器の収納位置が把握できていないため、食器の収納に関して家族の中の一人、その大半は主婦に負担がかかってしまう。またこのことが、夫や子供の家事参加を阻害する要因の一つとなっている。
【０００６】
このため、食器棚の各所に収納すべき食器名を記載したラベル等を貼付することもできるが、これだと食器棚がみすぼらしくなってしまう。
【０００７】
また、知らないうちに使用頻度の高い食器と低い食器ができてしまい、さまざまな食器を使用する機会が減ってしまう。
【０００８】
本発明は、以上のような問題点に鑑み、誰もが食器の収納位置を把握することができる食器棚を提供することを課題とする。
【課題を解決するための手段】
【０００９】
上記の課題は、
食器を収納する棚板と、
食器収納区画内の食器の有無を感知する感知手段と、
該食器収納区画単位で点灯する照明手段と、
食器の正規の収納位置を記憶する記憶手段と、
食器の使用状況によって照明の点灯を制御する制御手段とからなり、
食器が正規の収納位置にない場合、該食器の収納区画の照明が点灯するように制御されたことを特徴とする収納位置指示照明付き食器収納棚、
により解決される。
【００１０】
収納位置指示照明付き食器収納棚は、食器の正規の収納位置を記憶する記憶手段と食器の使用状況によって照明の点灯を制御する制御手段を有するため、食器の収納する棚板に余計な食器が入っていたり、必要な食器が入っていない場合には、記憶手段と制御手段との連動により、食器の過不足状況を食器収納区画単位で点灯する照明手段により知らせることができる。
【００１１】
そのため、食器を収納する場所を忘れてしまったり、そもそも食器を直す場所を知らなくても照明手段による照明の提示に従って食器を収納するだけで、食器を正規の位置に収納することができる。食器棚への食器の収納は人の記憶を頼りに行われることなく、家族全員で食器の収納位置が把握できていなくても、食器を食器の正規の位置に収納することができる。
【００１２】
ここで、食器が正規の収納位置にない場合とは、食器棚から食器を取り出して正規の収納位置の食器が不足している又は食器がない場合や、収納すべき正規の収納位置以外の箇所に食器を収納した場合など、正規の収納位置に収納されていない場合のことをいう。
【００１３】
また収納位置指示照明付き食器収納棚において、設定期間を超えて使用されていない食器がある場合、該食器の収納区画の照明が点灯するように制御されているとよい。
【００１４】
設定した期間を超えて使用されていない食器の収納区画の照明が点灯するように制御されているため、食器の使用状況を認識することができ、設定期間以上使用されていない場合にはその食器の使用が促され、知らないうちに使用頻度の高い食器と低い食器ができてしまうことを防ぐことができ、さまざまな食器を万遍なく使用することができる。
【００１５】
さらに収納位置指示照明付き食器収納棚において、確認手段が設けられ、確認手段を作動させた場合にのみ、照明が点灯するようになされていてもよい。
【００１６】
確認手段を作動させた場合にのみ照明が点灯するので、常に照明が点灯することがなく不必要な照明の点灯を防ぐことができる。
【００１７】
また、収納位置指示照明付き食器収納棚が開閉式の扉を有し、該扉が前記確認手段と連動し、該扉を開けた場合に確認手段が作動するようになされているとよい。
【００１８】
確認手段が収納指示照明付き食器棚の扉と連動し、扉を開けた場合に確認手段が作動し照明が点灯するため、確認手段の稼動のために別途操作盤を操作する必要もなく、食器の収納時や取り出し時に食器棚の扉を開けることによって確認手段が稼動するため、確認手段を稼動させるための特別な操作を行うことなく確認手段を稼動させることができる。
【００１９】
また、食器の収納時や取り出し時の食器棚を開けるときだけ確認手段が稼動するため食器を収納し終わった後や取り出した後の食器棚の扉を閉じた状態では、確認手段は稼動せず照明が点灯しないため、不必要な照明の点灯を防ぐことができる。
【発明の効果】
【００２０】
本発明は以上のとおりであるから、誰もが食器の収納位置を把握することができる食器棚を提供することができる。
【発明を実施するための最良の形態】
【００２１】
次に、本発明の実施最良形態を図面に基づいて説明する。
【００２２】
図１に示す収納位置指示照明付き食器収納棚１において、２は棚板、３は食器、４は照明、５は感知手段、６は扉である。
【００２３】
棚板２は食器収納棚内部に設けられた数段からなる食器を収納するための棚板であり、一枚の棚板上に数種類の食器３，３・・をそれぞれ収納する収納食器収納区画２ａ，２ａ・・に区切られている。棚板２は各収納食器収納区画２ａ，２ａ・・ごとに独立した照明４，４・・と感知手段５，５・・が設けられている。感知手段５，５・・は重量感知センサからなり、収納食器収納区画２ａ上に収納された食器４の重量を感知する。また、棚板２に設けられた照明４は、点灯すると図１（イ）に示すように、棚板２の該当収納食器収納区画２ａの上面が点灯する。
【００２４】
食器収納棚１は、図１（ハ）（ニ）に示すように開き戸形式で開閉する扉６，６が設けられ、扉６，６の開閉に連動してスイッチが切り替わる確認手段連動スイッチ９が取り付けられている。確認手段連動スイッチ９はスイッチを入れることで、棚板２の照明４，４・・が連動して点灯する。なお、扉６を開けたときに確認手段連動スイッチ９が入るように設定されている。
【００２５】
食器収納棚１は食器の使用状況によって照明の点灯を制御する制御手段と食器の正規の収納位置を記憶する記憶手段を有し、制御手段は、棚板２のそれぞれの食器収納区画２ａ，２ａ・・ごとに設けられた照明４，４・・・と感知手段５，５・・と接続されており、感知手段５，５・・により各食器収納区画２ａ，２ａ・・の情報が制御手段に伝達されるとともに、制御に基づく照明４，４・・の点灯の指示を照明に伝達する。
【００２６】
食器収納棚１の使用は次のようにして行われる。
【００２７】
図２（イ）に示すように、棚板２上の各食器収納区画２ａ，２ａ・・に本来収納すべき食器３，３・・を正規の位置に収納する。食器３，３・・は一つの食器収納区画２ａ，２ａ・・に一つとは限らず、同じ種類の食器を複数重ねて収納してもよいし、異なる種類の食器を複数重ねて収納してもよい。食器３，３・・を正規の位置に収納した段階で記憶手段に正規に収納した状況を記憶させる。記憶は図示しない状況を認識するスイッチを入れることにより行ってもよいし、制御手段をリセットすることによって行ってもよい。
【００２８】
記憶手段は正規の位置に収納された食器３，３・・についてそれぞれの食器収納区画２ａ，２ａ・・の重量を記憶する。
【００２９】
図２（ロ）に示すように扉６を開けて食器３を取り出すと、扉６に連動して確認手段連動スイッチ９が入る。食器を取り出すことで記憶手段に記憶されている食器収納区画２ａの重量と食器を取り出した食器収納区画２ａの感知手段が感知する重量が異なることから、制御手段７は該当する食器収納区画２ａの照明４に対して照明４を点灯するよう指示を出し、食器収納区画２ａの照明４は点灯する。なお図２において開き戸形式で開閉する扉６，６及び扉６，６の開閉に連動してスイッチが切り替わる確認手段連動スイッチ９は省略して作図している。
【００３０】
図２（ハ）に示すように、食器３を取り出したあとは食器棚１の扉６を閉じることによって、扉６に連動して確認手段連動スイッチ９が切り替わり、食器収納区画２ａの照明４は消灯する。
【００３１】
次に、食器３を食器収納棚１に収納する場合は図２（ニ）、（ホ）に示すように扉６を開けると、扉６に連動して確認手段連動スイッチ９が入り、食器を取り出されたことで記憶手段に記憶されている食器収納区画２ａの重量と食器を取り出した食器収納区画２ａの感知手段が感知する重量が異なることから、制御手段７は該当する食器収納区画２ａの照明に対して照明を点灯するよう指示を出し、食器収納区画２ａの照明４は点灯する。
【００３２】
図２（ホ）に示すように、照明４が点灯することで食器３を収納すべき場所を把握することができ、間違わないで食器を直すことができる。食器３を正規の位置に収納すると、記憶手段に記憶されている食器収納区画２ａの重量と食器３を収納した食器収納区画２ａの感知手段が感知する重量が同じとなることから、制御手段は該当する食器収納区画２ａの照明に対して照明を消灯するよう指示を出し、食器収納区画２ａの照明４は消灯する。
【００３３】
収納位置指示照明付き食器収納棚は、食器の正規の収納位置を記憶する記憶手段と食器の使用状況によって照明の点灯を制御する制御手段を有するため、食器の収納する棚に余計な食器が入っていたり、必要な食器が入っていない場合には、記憶手段と制御手段との連動により、食器の過不足状況を食器収納区画単位で点灯する照明手段により知らせることができる。
【００３４】
そのため、食器を収納する場所を忘れてしまったり、そもそも食器を直す場所を知らなくても照明手段による照明の提示に従って食器を収納するだけで、食器を正規の位置に収納することができる。食器棚への食器の収納は人の記憶を頼りに行われることなく、家族全員で食器の収納位置が把握できていなくても、食器を食器の正規の位置に収納することができる。
【００３５】
食器収納棚１から複数の食器３・・を取り出した場合、食器をしまうときには複数の収納食器収納区画の照明４・・が点灯することとなるが、残っている食器を頼りに、または記憶を頼りに食器３・・を収納していくとよい。正規の位置に食器が収納された場合は、棚板２の点灯している照明４が消灯し、正規の位置に食器３が収納されたことが認識できる。また、間違った位置に食器が収納された場合は、棚板２の点灯している照明４が点灯したままなので正規の位置に食器３が収納されていないことが認識でき、再度異なる食器収納区画２ａに収納し直せばよい。
【００３６】
図３に示す本発明の第２実施形態では、任意で設定した期間以上使用されていない食器３・・がある場合、該食器の収納区画の照明が点灯するように制御がなされている。食器３・・が設定期間例えば３ヶ月以上使用されていない場合には、制御手段は該当する食器収納区画２ａの照明４を点灯させる指示を出し、該当する食器収納区画２ａの照明４が点灯する。照明４が点灯することで使用者は、食器３・・が長期間に渡って使用されていないこと認識することができ、使用されていない食器３・・を使用する動機づけとなり食器収納棚１に収納している食器３・・を万遍なく使用することができる。
【００３７】
以上に、本発明の実施形態を示したが、本発明はこれに限られるものではなく、発明思想を逸脱しない範囲で各種の変更が可能である。例えば、上記の実施形態では、食器が正規の収納位置にない場合、該食器の収納区画の照明が点灯する制御が行われる実施形態と任意で設定した期間以上使用されていない食器がある場合、該食器の収納区画の照明が点灯するように制御が行われる実施形態とを分けて説明したが、両方の制御が同時に行われる制御としてもよい。
【００３８】
また感知手段について、棚板に設けられた重量感知センサによる場合について示したが、重量感知センサに限定される必要はなく、食器の積み重ね高さが所定の高さにあるかを検知する非接触型の感知センサであってもよい。
【００３９】
また照明についても棚板に設けられ棚板の上面が発光する照明である必要はなく、図４(イ)に示すように、該当する棚板の側面が光る態様であってもよいし、図４（ロ）に示すように、棚板の一部に設けられたパイロットランプが点灯する態様でもよい。また図４（ハ）に示すように照明が該当する収納食器収納区画の直上部の棚板下面部に設けられ、照明が食器を上から照らす態様で設けられていてもよい。
【００４０】
また、食器収納棚１に収納されるのは食器である場合について示したが、食器棚に食器と同様に収納されるもの、たとえばワインなどの飲料物や瓶詰めの食品などであってもよい。
【図面の簡単な説明】
【００４１】
【図１】収納位置指示照明付き食器収納棚を示す図であって、（イ）は棚板部の拡大斜視図、（ロ）は食器収納棚全体を示す正面図、（ハ）、（ニ）は扉の開閉状況と確認手段連動スイッチを作動状況を示す平面図である。
【図２】収納位置指示照明付き食器収納棚の使用状況を示す斜視図であって、（イ）〜（ハ）は食器を取り出す過程、（ニ）〜（ヘ）は食器を収納する過程である。
【図３】本発明の他の実施例であって、任意で設定した期間以上使用されていない食器がある場合の照明の作動状況を示す斜視図である。
【図４】図（イ）〜（ハ）は、本発明の他の実施例を示す斜視図である。
【符号の説明】
【００４２】
１・・・収納位置指示照明付き食器収納棚
２・・・棚板
２ａ・・・食器収納区画
３・・・食器
４・・・照明
５・・・感知手段
６・・・扉
９・・・確認手段連動スイッチ
【図１】
2010057672.tif 000003
【図２】
2010057672.tif 000004
【図３】
2010057672.tif 000005
【図４】
2010057672.tif 000006